(57)【要約】    【課題】火災発生時に避難のための適確な情報提供と避難経路の自動的確保を行なう。    【解決手段】本発明のナースコールシステムは、病院、老人福祉施設などの施設内の各ベッドに設けられたナースコール子機４ａ、４ｂ、・・・の被看護者からの呼び出しを施設の各部屋毎に設置され各ベッド毎の個別表示灯３４を有する廊下灯３ａ、３ｂ、・・・および施設内に設けられたナースコール制御機２ａを介して呼出情報として送信し、ナースステーション内に設置され被看護者の氏名等の患者管理データおよび呼出情報を看護者によって取扱われるナースコール親機１ａにて表示、鳴動するように構成されている。  ナースコール制御機２ａは、防災受信機６に接続される制御機入力端子２４を備え、制御機入力端子に火災警報信号が入力されると廊下灯およびナースコール親機の少なくとも一方が火災警報を視覚装置１１ａまたは音響装置１３を用いて発報する制御を行なうように構成されている。    【選択図】図２
2005349040.tif 000002
【特許請求の範囲】
【請求項１】
病院、老人福祉施設などの施設内の各ベッドに設けられたナースコール子機（４ａ、４ｂ、・・・）の被看護者からの呼び出しを前記施設の各部屋毎に設置され各ベッド毎の個別表示灯（３４）を有する廊下灯（３ａ、３ｂ、・・・）および前記施設内に設けられたナースコール制御機（２ａ）を介して呼出情報として送信し、ナースステーション内に設置され前記被看護者の氏名等の患者管理データおよび前記呼出情報を看護者によって取扱われるナースコール親機（１ａ）にて表示、鳴動するナースコールシステムであって、
前記ナースコール制御機は、防災受信機（６）に接続される入力端子（２４）を備え、前記入力端子に火災警報信号が入力されると前記廊下灯および前記ナースコール親機の少なくとも一方が火災警報を視覚装置（１１ａ、３３）または音響装置（１３）を用いて発報する制御を行なうことを特徴とするナースコールシステム。
【請求項２】
病院、老人福祉施設などの施設内の各ベッドに設けられたナースコール子機（４ａ、４ｂ、・・・）の被看護者からの呼び出しを前記施設の各部屋毎に設置され各ベッド毎の個別表示灯（３４）を有する廊下灯（３ａ、３ｂ、・・・）および前記施設内に設けられたナースコール制御機（２ｂ）を介して呼出情報として送信し、ナースステーション内に設置され前記被看護者の氏名等の患者管理データおよび前記呼出情報を看護者によって取扱われるナースコール親機（１ｂ）にて表示、鳴動するナースコールシステムであって、
前記ナースコール親機は、防災受信機（６）に接続される入力端子（１９）を備え、前記入力端子に火災警報信号が入力されると前記廊下灯および前記ナースコール親機の少なくとも一方が火災警報を視覚装置（１１ａ、３３）または音響装置（１３）を用いて発報する制御を行なうことを特徴とするナースコールシステム。
【請求項３】
前記廊下灯は、火災警報の発報時に前記施設の各部屋毎に前記視覚装置が点灯するものと点灯しないものを事前に設定することができるものであることを特徴とする請求項１または請求項２記載のナースコールシステム。
【請求項４】
前記廊下灯は、火災警報の発報時に各ベッド毎に前記視覚装置が点灯するものと点灯しないものを事前に設定することができるものであることを特徴とする請求項１または請求項２記載のナースコールシステム。
【請求項５】
前記ナースコール親機は、前記廊下灯の点灯をベッド単位あるいは部屋単位に設定するための点灯設定手段（１４ａ）と、前記点灯設定手段で設定したデータを前記廊下灯に伝送するための通信装置（１５）とを備えたことを特徴とする請求項３または請求項４記載のナースコールシステム。
【請求項６】
前記ナースコール親機は、前記廊下灯が点灯しているベッドあるいは部屋を表示するための表示装置（１１ｂ）を備え、前記廊下灯は、点灯を終了するための廊下灯復旧ボタン（３２）を備え、前記表示装置の表示内容は、前記廊下灯復旧ボタンの操作または火災警報の復旧の何れかにより前記表示装置の前記部屋の表示が復旧することを特徴とする請求項１乃至請求項５何れか１項記載のナースコールシステム。
【請求項７】
前記ナースコール親機は、前記廊下灯が点灯しているベッドあるいは部屋を表示するための表示装置（１１ｃ）を備え、前記ナースコール子機は、点灯を終了するための子機復旧ボタン（４１）を備え、前記子機復旧ボタンの操作により前記表示装置が前記ベッドの復旧表示を行なうことを特徴とする請求項１乃至請求項６何れか１項記載のナースコールシステム。
【請求項８】
前記表示装置は、ベッドあるいは部屋を表示する色を変えることによって復旧を表示することを特徴とする請求項６または請求項７記載のナースコールシステム。
【請求項９】
前記ナースコール親機は、火災警報の発報時に警報音が鳴動するものであって、火災警報の発報時に前記ナースコール子機から呼び出しがあったときに、警報音を一時的に停止して呼出音を鳴動し、終話後に火災警報を再鳴動するものであることを特徴とする請求項１乃至請求項８何れか１項記載のナースコールシステム。
【請求項１０】
前記ナースコール親機は、火災警報の発報時に前記ナースコール子機から呼び出しがあったときに、前記表示装置に呼出表示を行なうことを特徴とする請求項６乃至請求項８何れか１項記載のナースコールシステム。
【請求項１１】
前記ナースコールシステムは電気錠（１０ａ）を備え、前記ナースコール制御機は、火災警報の発報時に前記入力端子からの信号入力をトリガとして電気錠を解錠するものであることを特徴とする請求項１乃至請求項１０何れか１項記載のナースコールシステム。
【請求項１２】
前記ナースコール制御機または前記ナースコール親機は電気錠解錠許可スイッチ（２５、１４ｂ）を備え、前記ナースコール制御機は、火災警報の発報時に前記電気錠解錠許可スイッチがＯＮになっているとき接続されている全ての電気錠を解錠するものであることを特徴とする請求項１１記載のナースコールシステム。
【請求項１３】
前記ナースコール制御機または前記ナースコール親機は電気錠設定手段（２６、１４ｃ）を備え、前記ナースコール制御機は、火災警報の発報時に前記電気錠設定手段で設定された電気錠を解錠するものであることを特徴とする請求項１１記載のナースコールシステム。
【請求項１４】
前記電気錠設定手段は、前記点灯設定手段で設定したベッドまたは部屋に対応して、特定のベッドまたは部屋で点灯される設定になっているとき対応する電気錠を解錠する設定を行なうものであることを特徴とする請求項１３記載のナースコールシステム。
【請求項１５】
前記ナースコール制御機が交換機（７）を介して接続される携帯端末（９ａ、９ｂ、・・・）を備え、前記ナースコール制御機は、火災警報の発報時に前記携帯端末に火災表示し、警報音を鳴動するとともに、前記ナースコール子機から呼び出しがあったとき前記携帯端末に呼出表示を行なうことを特徴とする請求項１乃至請求項１４何れか１項記載のナースコールシステム。
【発明の詳細な説明】
【技術分野】
【０００１】
本発明はナースコールシステムに係り、特に火災発生時に避難のための適確な情報提供と避難経路の自動的確保を行なうことにより、安全性を高めたナースコールシステムに関する。
【背景技術】
【０００２】
従来から、この種のナースコールシステムとして、（イ）防災受信機からの火災感知器作動データをナースコール親機が受け取り、当該データをナースコール親機に表示し、ナースコール親機の緊急操作スイッチの操作により、廊下灯に表示させるもの（例えば、特許文献１参照）、若しくは（ロ）防災受信機からの火災感知器作動データをナースコール親機が受け取り、当該データをナースコール親機において優先的に割り込んで表示し、また、ナースコール親機に電気錠の制御情報を表示させるものが知られている（例えば、特許文献２参照）。
【０００３】
しかしながら、このような（イ）、（ロ）のナースコールシステムでは、火災時に廊下灯に警報を発報し、若しくは火災時に電気錠を解錠するためにはスイッチによる操作が必要であり、このため操作をする者がパニックに陥ると操作ミスが発生する虞があった。また、人的に廊下灯を点灯させることが困難である上、開くべき電気錠の設定等のカスタマイズが困難であるという難点があった。
【０００４】
【特許文献１】特開平１−１１２４８０号公報（３頁左下欄１行〜４頁左下欄６行）
【特許文献２】特開平６−３１４３９２号公報（段落番号「０００８」「０００９」「００２３」「００２４」）
【発明の開示】
【発明が解決しようとする課題】
【０００５】
本発明は、確実にナースコール親機および廊下灯の少なくとも一方へ火災報知を行ない、かつ火災時における通話回路の確保や避難経路の確保とともに、逃げ遅れた人を容易に発見することができるナースコールシステムを提供することを目的としている。
【課題を解決するための手段】
【０００６】
本発明の第１の態様であるナースコールシステムは、病院、老人福祉施設などの施設内の各ベッドに設けられたナースコール子機の被看護者からの呼び出しを施設の各部屋毎に設置され各ベッド毎の個別表示灯を有する廊下灯および施設内に設けられたナースコール制御機を介して呼出情報として送信し、ナースステーション内に設置され被看護者の氏名等の患者管理データおよび呼出情報を看護者によって取扱われるナースコール親機にて表示、鳴動するナースコールシステムであって、ナースコール制御機は、防災受信機に接続される入力端子を備え、入力端子に火災警報信号が入力されると廊下灯およびナースコール親機の少なくとも一方が火災警報を視覚装置または音響装置を用いて発報する制御を行なうものである。
【０００７】
本発明の第２の態様であるナースコールシステムは、病院、老人福祉施設などの施設内の各ベッドに設けられたナースコール子機の被看護者からの呼び出しを施設の各部屋毎に設置され各ベッド毎の個別表示灯を有する廊下灯および施設内に設けられたナースコール制御機を介して呼出情報として送信し、ナースステーション内に設置され被看護者の氏名等の患者管理データおよび呼出情報を看護者によって取扱われるナースコール親機にて表示、鳴動するナースコールシステムであって、ナースコール親機は、防災受信機に接続される入力端子を備え、入力端子に火災警報信号が入力されると廊下灯およびナースコール親機の少なくとも一方が火災警報を視覚装置または音響装置を用いて発報する制御を行なうものである。
【０００８】
本発明の第３の態様は、第１の態様または第２の態様であるナースコールシステムにおいて、廊下灯は、火災警報の発報時に施設の各部屋毎に視覚装置が点灯するものと点灯しないものを事前に設定することができるものである。
【０００９】
本発明の第４の態様は、第１の態様または第２の態様であるナースコールシステムにおいて、廊下灯は、火災警報の発報時に各ベッド毎に視覚装置が点灯するものと点灯しないものを事前に設定することができるものである。
【００１０】
本発明の第５の態様は、第３の態様または第４の態様であるナースコールシステムにおいて、ナースコール親機は、廊下灯の点灯をベッド単位あるいは部屋単位に設定するための点灯設定手段と、点灯設定手段で設定したデータを廊下灯に伝送するための通信装置とを備えたものである。
【００１１】
本発明の第６の態様は、第１の態様乃至第５の態様の何れかであるナースコールシステムにおいて、ースコール親機は、廊下灯が点灯しているベッドあるいは部屋を表示するための表示装置を備え、廊下灯は、点灯を終了するための廊下灯復旧ボタンを備え、表示装置の表示内容は、廊下灯復旧ボタンの操作または火災警報の復旧の何れかにより表示装置の部屋の表示が復旧するものである。
【００１２】
本発明の第７の態様は、第１の態様乃至第６の態様の何れかであるナースコールシステムにおいて、ナースコール親機は、廊下灯が点灯しているベッドあるいは部屋を表示するための表示装置を備え、ナースコール子機は、点灯を終了するための子機復旧ボタンを備え、子機復旧ボタンの操作により表示装置がベッドの復旧表示を行なうものである。
【００１３】
本発明の第８の態様は、第６の態様または第７の態様であるナースコールシステムにおいて、表示装置は、ベッドあるいは部屋を表示する色を変えることによって復旧を表示するものである。
【００１４】
本発明の第９の態様は、第１の態様乃至第８の態様の何れかであるナースコールシステムにおいて、ナースコール親機は、火災警報の発報時に警報音が鳴動するものであって、火災警報の発報時にナースコール子機から呼び出しがあったときに、警報音を一時的に停止して呼出音を鳴動し、終話後に火災警報を再鳴動するものである。
【００１５】
本発明の第１０の態様は、第６の態様乃至第８の態様の何れかであるナースコールシステムにおいて、ナースコール親機は、火災警報の発報時にナースコール子機から呼び出しがあったときに、表示装置に呼出表示を行なうものである。
【００１６】
本発明の第１１の態様は、第１の態様乃至第１０の態様の何れかであるナースコールシステムにおいて、ナースコールシステムは電気錠を備え、ナースコール制御機は、火災警報の発報時に前記入力端子からの信号入力をトリガとして電気錠を解錠するものである。
【００１７】
本発明の第１２の態様は、第１１の態様であるナースコールシステムにおいて、ナースコール制御機またはナースコール親機は電気錠解錠許可スイッチを備え、ナースコール制御機は、火災警報の発報時に電気錠解錠許可スイッチがＯＮになっているとき接続されている全ての電気錠を解錠するものである。
【００１８】
本発明の第１３の態様は、第１１の態様であるナースコールシステムにおいて、ナースコール制御機またはナースコール親機は電気錠設定手段を備え、ナースコール制御機は、火災警報の発報時に電気錠設定手段で設定された電気錠を解錠するものである。
【００１９】
本発明の第１４の態様は、第１３の態様であるナースコールシステムにおいて、電気錠設定手段は、点灯設定手段で設定したベッドまたは部屋に対応して、特定のベッドまたは部屋で点灯される設定になっているとき対応する電気錠を解錠する設定を行なうものである。
【００２０】
本発明の第１５の態様は、第１の態様乃至第１４の態様の何れかであるナースコールシステムにおいて、ナースコール制御機がＰＢＸ交換機を介して接続される携帯端末を備え、ナースコール制御機は、火災警報の発報時に携帯端末に火災表示し、警報音を鳴動するとともに、ナースコール子機から呼び出しがあったとき携帯端末に呼出表示を行なうものである。
【発明の効果】
【００２１】
本発明の第１の態様乃至第１５の態様のナースコールシステムによれば、次のような効果がある。
【００２２】
第１に、防災受信機が入力端子に接続され、この入力端子に火災警報信号が入力すると、ナースコール制御機により廊下灯およびナースコール親機の少なくとも一方の視覚装置または音響装置が制御されることから、火災警報の発報時に何れかの視覚装置または音響装置に自動的に警報表示を行なうことができる。
【００２３】
第２に、廊下灯復旧ボタンまたは子機復旧ボタンの操作により、表示装置の表示を復旧させることができることから、ナースコール親機および廊下灯のいずれにおいても避難した人の確認を容易に行うことができる。
【００２４】
第３に、火災警報の発報時にベッド単位あるいは部屋単位に視覚装置が点灯するものと点灯しないものを事前に設定することができることから、緊急避難の際に介助を必要とする人またはその人が在室している部屋を迅速に判別することができ、看護師等は重症患者等に対して優先的に対応することができる。
【００２５】
第４に、火災警報の発報時にナースコール子機から呼び出しがあったときに、警報音が一時的に停止して呼出音が鳴動し、終話後に火災警報が再鳴動することから、ナースコール子機を介して逃げ遅れた人の位置を容易に把握することができ、また、逃げ遅れた人との通話も可能になり、避難誘導を容易に行うことができる。
【００２６】
第５に、火災警報の発報時に入力端子からの信号入力をトリガとして電気錠が自動的に解錠されることから、緊急避難が容易となり、また、緊急避難のために誘導が必要な人の近傍の電気錠のみを解錠するように設定することもできるため、緊急避難時に最低限の電気錠のみの解錠で避難誘導を行なうことができる。
【００２７】
第６に、ナースコール制御機の制御により、火災警報の発報時に携帯端末に火災表示し、警報音を鳴動させることができることから、看護師等は施設内の何れの位置にいても逃げ遅れた人を把握することができる上、逃げ遅れた人と通話することもでき、ひいては、被看護者の避難誘導を迅速かつ容易に行うことができる。
【発明を実施するための最良の形態】
【００２８】
以下、本発明のナースコールシステムを適用した実施の形態例について、図面を参照して説明する。ここで、図１は、本発明のナースコールシステムのシステム構成図、図２は同ナースコールシステムのブロック図を示している。
【００２９】
図１において、本発明のナースコールシステムは、ナースステーション内に設置されたパーソナルコンピュータ等から成るナースコール親機１ａと、病院、老人福祉施設などの施設内に設置されたナースコール制御機２ａと、同施設の各部屋の入口付近に設置された廊下灯３ａ、３ｂ、・・・と、同各部屋内の各ベッドに設けられた子機復旧ボタン４１を有するナースコール子機４ａ、４ｂ、・・・と、同各部屋内に設けられたトイレ子機５ａ、５ｂ、・・・と、同施設内に設置された防災受信機６と、ナースコール子機４ａ、４ｂ、・・・からの呼出情報が交換機７および基地局８を介して送信される携帯端末９ａ、９ｂ、・・・と、徘徊病棟や感染病棟等の入口付近に設置された電気錠１０ａを有する扉１０とを備えている。また、各携帯端末９ａ、９ｂ、・・・は同様の構成とされ、それぞれ子機スピーカ９１および子機ディスプレイ９２の各部を備えている。
【００３０】
ここで、ナースコール制御機２ａは第１の伝送路Ｌ１を介してナースコール親機１ａに、第２の伝送路Ｌ２を介して廊下灯３ａ、３ｂ、・・・に、第３の伝送路Ｌ３を介して防災受信機６に、第４の伝送路Ｌ４を介して電気錠１０ａに、第５の伝送路Ｌ５を介して交換機６にそれぞれ接続され、各廊下灯３ａ、３ｂ、・・・には第６、第７の伝送路Ｌ６、Ｌ７を介して対応するナースコール子機４ａ、４ｂ、・・・およびトイレ子機５ａ、５ｂ、・・・が接続され、交換機６には第８の伝送路Ｌ８を介して基地局８が接続されている。
【００３１】
ナースコール親機１ａは、図２に示すように、ディスプレイ等から成る視覚装置１１ａ、マイクおよびスピーカを有するハンドセット１２、拡声スピーカ等から成る音響装置１３、廊下灯の点灯をベッド単位あるいは部屋単位に設定するための点灯設定手段１４ａ、電気錠解錠許可スイッチ（以下「親機電気錠解錠許可スイッチ」という。）１４ｂおよび電気錠設定手段（以下「親機電気錠設定手段」という。）１４ｃを有するタッチパネル等から成る設定部１４、インターフエース等から成る通信装置（以下「親機通信装置」という。）１５、親機ＣＰＵ１６、音声合成回路１７および通話回路１８の各部（回路）を備えている。ここで、親機ＣＰＵ１６は視覚装置１１ａ、設定部１４、音声合成回路１７、親機通信装置１５および通話回路１８に接続され、音声合成回路１７には音響装置１３が、通話回路１８にはハンドセット１２がそれぞれ接続されている。
【００３２】
ナースコール制御機２ａは、図２に示すように、インターフエース等から成る第１〜第４の通信装置（以下「第１〜第４の制御機通信装置」という。）２１ａ〜２１ｄ、制御機ＣＰＵ２２、メモリ２３および入力端子（以下「制御機入力端子」という。）２４の各部（回路）を備えている。ここで、制御機ＣＰＵ２２は第１〜第４の制御機通信装置２１ａ〜２１ｄ、メモリ２３および制御機入力端子２４に接続され、第１の制御機通信装置２１ａには第１の伝送路Ｌ１が、第２の制御機通信装置２１ｂには第２の伝送路Ｌ２が、第３の制御機通信装置２１ｃには第４の伝送路Ｌ４が、第４の制御機通信装置２１ｄには第５の伝送路Ｌ５が、制御機入力端子２４には第３の伝送路Ｌ３がそれぞれ接続されている。
【００３３】
各廊下灯３ａ、３ｂ、・・・はそれぞれ同様の構成とされ、それぞれ図２に示すように、インターフエース等から成る第１、第２の通信装置（以下、第１の通信装置を「制御機側廊下灯通信装置」、第２の通信装置を「子機側廊下灯通信装置」という。）３１ａ、３１ｂ、廊下灯復旧ボタン３２、例えば橙色や赤色等に点滅する代表表示灯３３、ＬＥＤ等から成る個別表示灯３４、廊下灯ＣＰＵ３５の各部（回路）を備えている。ここで、廊下灯ＣＰＵ３５は制御機側廊下灯通信装置３１ａ、子機側廊下灯通信装置３１ｂ、廊下灯復旧ボタン３２、代表表示灯３３および個別表示灯３４に接続され、制御機側廊下灯通信装置３１ａには第２の伝送路Ｌ２が、子機側廊下灯通信装置３１ｂには第６、第７の伝送路Ｌ６、Ｌ７がそれぞれ接続されている。
【００３４】
次に、このように構成された本発明のナースコールシステムの動作について説明する。なお、（イ）例えば、施設内のある部屋（以下「第１の部屋」という。）のベッドに設けられたナースコール子機（以下「第１のナースコール子機」という。）４ａから被看護者が呼び出しを行うと、呼出信号が第６の伝送路Ｌ６および対応する廊下灯（以下「第１の廊下灯」という。）３ａの子機側廊下灯通信装置（以下「第１の子機側廊下灯通信装置」という。）３１ｂを介して第１の廊下灯３ａの廊下灯ＣＰＵ（以下「第１の廊下灯ＣＰＵ」という。）３５へ伝送され、この呼出信号が第１の廊下灯ＣＰＵ３５で検出されると、第１の廊下灯ＣＰＵ３５から緊急呼出、通常呼出等の呼出種別および第１のナースコール子機４ａの子機番号（以下「第１の子機番号」という。）を含有する呼出検出信号が第１の廊下灯３ａの制御機側廊下灯通信装置（以下「第１の制御機側廊下灯通信装置」という。）３１ａ、第２の伝送路Ｌ２、第２の制御機通信装置２１ｂを介して制御機ＣＰＵ２２へ伝送される点、（ロ）制御機ＣＰＵ２２から呼出種別および第１の子機番号を含有する呼出情報が第１の制御機通信装置２１ａ、第１の伝送路Ｌ１、親機通信装置１５を介して親機ＣＰＵ１６へ伝送され、親機ＣＰＵ１６により音声合成回路１７が制御され呼出音が音響装置１３としての拡声スピーカから鳴動するとともに、視覚装置１１ａとしてのディスプレイに患者情報が表示される点、（ハ）ナースコール制御機２ａにおいて呼出表示テーブルにより第１の子機番号に対応する表示データが参照され、交換機７に対して呼出種別および表示データを含有する呼出情報が送信される点、（ニ）ナースコール制御機２ａからの呼出情報をもとに基地局８から例えば携帯端末９ａ（以下「第１の携帯端末９ａ」という。）が呼び出され、第１の携帯端末９ａの子機スピーカ（以下「第１の子機スピーカ」という。）９１から呼出情報で指定された呼出音が鳴動するとともに、指定された呼出表示データが第１の携帯端末９ａの子機ディスプレイ（以下「第１の子機ディスプレイ」という。）９２に表示される点、（ホ）第１のナースコール子機４ａからの呼び出しに対して、視覚装置１１ａ（表示装置１１ｂ）としてのディスプレイに表示された部屋番号およびベッド番号を確認し、あるいは第１の携帯端末９ａが応答する場合には第１の子機ディスプレイ９２により部屋番号およびベッド番号を確認してから通話を行い、看護師等が呼び出しに対して所要の対応を行う点は従来のナースコールシステムと同様であることから詳細な説明を省略し、ここでは、施設内の何れかで火災が発生した場合の動作を中心にして説明する。
［実施例１］
図２において、先ず、施設内の何れかで火災が発生すると、防災受信機６から火災警報信号が第３の伝送路Ｌ３および制御機入力端子２４を介して制御機ＣＰＵ２２へ伝送され、かかる火災警報信号が制御機ＣＰＵ２２で検出されると、制御機ＣＰＵ２２から第１、第２の火災報知信号が出力され、第１の火災報知信号が第１の制御機通信装置２１ａ、第１の伝送路Ｌ１および親機通信装置１５を介して親機ＣＰＵ１６へ伝送される。
【００３５】
そして、第１の火災報知信号が親機ＣＰＵ１６で検出されると、音声合成回路１７において火災警報音が生成され、音響装置１３としての拡声スピーカから火災警報音が鳴動するとともに、視覚装置１１ａとしてのディスプレイに火災が発生した旨が例えば赤色で表示される。これにより、ナーススレーション内の看護師等は施設内の何れかで火災が発生したことを知ることができる。
【００３６】
一方、第２の火災報知信号は第２の制御機通信装置２１ｂおよび第２の伝送路Ｌ２を介して各廊下灯３ａ、３ｂ、・・・の制御機側廊下灯通信装置３１ａへ伝送され、かかる第２の火災報知信号が各廊下灯３ａ、３ｂ、・・・の廊下灯ＣＰＵ３５で検出されると、各廊下灯ＣＰＵ３５の制御により、各廊下灯３ａ、３ｂ、・・・に内蔵された音響装置としての廊下灯スピーカ（不図示）から火災警報音が鳴動するとともに、各廊下灯３ａ、３ｂ、・・・の視覚装置としての代表表示灯３３が例えば赤色に点滅する。これにより、巡回中の看護師等は施設内の何れかで火災が発生したことを知ることができる。
【００３７】
次に、本発明のナースコールシステムの付加機能について説明する。
【００３８】
第１に、各廊下灯３ａ、３ｂ、・・・において、火災警報の発報時に、例えば第１の廊下灯３ａの視覚装置としての代表表示灯（以下「第１の代表表示灯」という。）３３が点灯し、第１の廊下灯３ａに隣接する廊下灯（以下「第２の廊下灯」という。）３ｂの視覚装置としての代表表示灯（以下「第２代表表示灯」という。）（不図示）が点灯しないように事前に設定した場合には、第１の廊下灯３ａが前述の第２の火災報知信号を受信した時点で、第１の代表表示灯３３のみを点灯させることができる。
【００３９】
また、各廊下灯３ａ、３ｂ、・・・において、火災警報の発報時に、例えば第１の部屋内のあるベッド（以下「第１のベッド」という。）に対応する個別表示灯（以下「第１の個別表示灯」という。）３４のみが点灯し、他のベッドに対応する個別表示灯（不図示）が点灯しないように事前に設定した場合には、第１の廊下灯３ａが前述の第２の火災報知信号を受信した時点で、第１の個別表示灯３４のみを点灯させることができる。
【００４０】
このように、ベッド単位若しくは部屋単位で代表表示灯が点灯するものと点灯しないものを事前に設定した場合においては、緊急避難の際に介助を必要とする人またはその人が在室している部屋（この実施例では第１の廊下灯３ａに対応する第１の部屋）を迅速に判別することができ、ひいては看護師等の迅速な対応が可能になる。
【００４１】
第２に、ナースコール親機１ａの設定部１４に、各廊下灯３ａ、３ｂ、・・・の代表表示灯３３を部屋単位で若しくは個別表示灯３４をベッド単位で設定するための点灯設定手段１４ａを搭載した場合には、点灯設定手段１４ａで設定したデータ（以下「設定データ」という。）を次のようにして各廊下灯３ａ、３ｂ、・・・に伝送することができる。すなわち、点灯設定手段１４ａにより、例えば第１の代表表示灯３３若しくは第１の個別表示灯３４のみが点灯するような設定を行なうと、親機ＣＰＵ１６から設定データが出力され、この設定データが親機通信装置１５、第１の伝送路Ｌ１、第１の制御機通信装置２１ａ、制御機ＣＰＵ２２、第２の制御機通信装置２１ｂ、第２の伝送路Ｌ２および第１の制御機側廊下灯通信装置３１ａを介して第１の廊下灯ＣＰＵ３５へ伝送される。
【００４２】
従って、この実施例においても、例えば第１の廊下灯３ａが前述の第２の火災報知信号を受信した時点で、第１の代表表示灯３３若しくは第１の個別表示灯３４のみを点灯させることができ、特に、この実施例においては、ナースコール親機１ａにおいて、避難誘導が必要なベッドまたは部屋を一括して設定することができることから、前述の実施例よりも設定作業を容易に行うことができる。
【００４３】
第３に、ナースコール親機１ａに、廊下灯が点灯しているベッドあるいは部屋を表示するための表示装置１１ｂを搭載した場合には、火災警報の復旧により、次のようにして表示装置１１ｂにベッドあるいは部屋の表示を復旧させることができる。すなわち、火災警報が復旧すると、防災受信機９から復旧信号が出力され、この復旧信号が前述の火災警報信号および第１の火災報知信号と同様の経路を経由して親機ＣＰＵ１６へ伝送され、かかる復旧信号が親機ＣＰＵ１６で検出されると、表示装置１１ｂに復旧した旨が例えば緑色で表示される。
【００４４】
また、廊下灯３ａに、点灯を終了するための廊下灯復旧ボタン３２を搭載した場合には、次のようにしてナースコール親機１ａの表示装置１１ｂに部屋の表示を復旧させることができる。すなわち、例えば第１の廊下灯３ａの廊下灯復旧ボタン（以下「第１の廊下灯復旧ボタン」という。）３２を押下すると、第１の廊下灯ＣＰＵ３５から第１の代表表示灯３３の点灯を終了するため信号（以下「廊下灯復旧信号」という。）が出力され、この廊下灯復旧信号が前述の設定データと逆の経路を経由して親機ＣＰＵ１６へ伝送され、かかる廊下灯復旧信号が親機ＣＰＵ１６で検出されると、表示装置１１ｂに第１の廊下灯３ａ（第１の部屋）の表示が復旧した旨が例えば緑色で表示される。
【００４５】
さらに、ナースコール子機に点灯を終了するための子機復旧ボタン４１を搭載した場合には、次のようにしてナースコール親機１ａの表示装置１１ｃにベッドの表示を復旧させることができる。すなわち、例えば、第１のナースコール子機４ａの子機復旧ボタン（以下「第１の子機復旧ボタン」という。）４１を操作すると、第１の子機復旧ボタン４１の第１のベッドに対応する第１の個別表示灯３４の点灯を終了するための信号（以下「子機復旧信号」という。）が第６の伝送路Ｌ６および第１の子機側廊下灯通信装置３１ｂを介して第１の廊下灯ＣＰＵ３５へ伝送され、さらに第１の廊下灯ＣＰＵ３５から前述の廊下灯復旧信号と同様の経路を経由して親機ＣＰＵ１６へ伝送される。そして、かかる子機復旧信号が親機ＣＰＵ１６で検出されると、表示装置１１ｃに第１の個別表示灯３４に対応するベッドの表示が復旧した旨が例えば緑色で表示される。
【００４６】
以上のように、（イ）火災警報が復旧するか、若しくは、（ロ）看護師等が現場まで赴いて、例えば第１の廊下灯復旧ボタン３２若しくは第１の子機復旧ボタン４１を押下することにより、表示装置１１ｂ、１１ｃに復旧した旨を緑色で表示することができ、このような表示装置１１ｂにおける表示は、上記の（イ）、（ロ）以外の方法では復旧しないように構成されていることから、ナースステーション内の看護師等は、ナースコール親機１ａの表示装置１１ｂにおける表示を確認することで、避難誘導の最終確認を確実に行うことができる。
【００４７】
第４に、火災警報の発報時に、例えば逃げ遅れた被看護者等から呼び出しがあったときに、警報音を一時的に停止して呼出音を鳴動し、終話後に火災警報を再鳴動させることができる。すなわち、火災警報の発報時に、ナースコール親機１ａの音響装置１３としての拡声スピーカから警報音が鳴動している状態において、第１のナースコール子機４ａから呼び出しがあった場合には、親機ＣＰＵ１６によって音声合成回路１７が制御され、音響装置１３（拡声スピーカ）からの警報音の鳴動が中止され、代わりに呼出音が放音されるとともに、表示装置１１ｂに呼出表示が例えば橙色で表示される。
【００４８】
ここで、ナースステーション内の看護師等がハンドセット１２を取り上げると、ナースコール親機１ａ、第１の伝送路Ｌ１、ナースコール制御機２ａ、第２の伝送路Ｌ２、第１の廊下灯３ａ、第６の伝送路Ｌ６、第１のナースコール子機４ａの経路で通話路が確立され、ナースコール親機１ａと第１のナースコール子機４ａが通話可能になる。
【００４９】
これにより、ナースコール親機１ａと第１のナースコール子機４ａ間の通話によって、看護師等は逃げ遅れた人に対して適確な指示を行なうことができる。通話が終了すると、表示装置１１ｂにおける呼出表示は例えば橙色から赤色に変化し、まだ避難が完了していないことを親機で確認することができる。なお、この呼出表示は前述と同様の方法で消灯することができる。
【００５０】
以上の動作は、通話機能を備えていないトイレ子機５ａ、５ｂ、・・・から呼び出しがあった場合も、前述と同様に動作する、すなわち、火災警報の発報時に、ナースコール親機１ａの音響装置１３としての拡声スピーカから警報音が鳴動している状態において、あるトイレ子機（以下「第１のトイレ子機」という。）５ａから呼び出しがあった場合には、親機ＣＰＵ１６によって音声合成回路１７が制御され、音響装置１３（拡声スピーカ）からの警報音の鳴動が中止され、呼出音が放音されるとともに、表示装置１１ｂに第１のトイレ子機からの呼出表示が例えば橙色で表示される。
【００５１】
第５に、ナースコール制御機２ａに、第４の伝送路Ｌ４を介して電気錠１０ａを接続した場合においては、火災警報の発報時に制御機入力端子からの信号入力をトリガとして電気錠ａを解錠することができる。すなわち、電気錠１０ａを備えるナースコールシステムにおいて、施設内で火災が発生し防災受信機６から火災警報信号が第３の伝送路Ｌ３および制御機入力端子２４を介して制御機ＣＰＵ２２へ伝送されると、この火災警報信号の入力をトリガとして、電気錠ａを解錠することができる。
【００５２】
また、複数個の電気錠が設置され、ナースコール親機１ａに親機電気錠解錠許可スイッチ１４ｂを搭載した場合には、ナースコール制御機２ａの制御により、火災警報の発報時に親機電気錠解錠許可スイッチ１４ｂがＯＮになっているとき接続されている全ての電気錠を解錠することができる。すなわち、親機電気錠解錠許可スイッチ１４ａがＯＮになっている時に火災が発生した場合には、親機ＣＰＵ１６から解錠信号が出力され、この解錠信号が親機通信装置１５、第１の伝送路Ｌ１、第１の制御機通信装置２１ａ、制御機ＣＰＵ２２、第３の制御機通信装置２１ｃおよび第４の伝送路Ｌ４を介して電気錠１０ａへ伝送され、これにより、電気錠１０ａが解錠される。
【００５３】
さらに、複数個の電気錠が設置され、親機電気錠解錠許可スイッチ１４ｂに代えて親機電気錠設定手段１４ｃを搭載した場合には、この親機電気錠設定手段１４ｃにより、親機点灯設定手段１４ａで設定したベッドまたは部屋に対応して、特定のベッドまたは部屋で点灯される設定になっているとき対応する電気錠１０ａを解錠する設定を行なうことができる。
【００５４】
この実施例によれば、特定の電気錠１０ａが自動的に解錠され、自動的に避難対象者が特定されることから、火災時に、扉のカギを持っている担当者の行方がわからない場合であっても、避難誘導に支障が生じる虞がなくなる。また、感染症の病棟等、非常時でも隔離が必要な部分は鍵を使って開けることにより、避難時の感染拡大を防ぐことができる。
【００５５】
ここで、前述の実施例では親機電気錠解錠許可スイッチ１４ｂおよび親機電気錠設定手段１４ｃを設定部１４としてのタッチパネルに搭載した場合について述べているが、親機電気錠解錠許可スイッチ１４ｂおよび親機電気錠設定手段１４ｃはディップスイッチ（ＤＩＰＳＷ）等のメカニカルスイッチを用いても同等の効果を奏する。
【００５６】
第６に、ナースコールシステムに、交換機７を介して携帯端末９ａ、９ｂ、・・・と無線で送受信できる機能を搭載した場合には、火災警報の発報時に携帯端末９ａ、９ｂ、・・・に火災表示させ、警報音を鳴動させるとともに、ナースコール子機から呼び出しがあったとき携帯端末に呼出表示を行なうことができる。
【００５７】
この実施例においては、火災発生時にナースステーション内が無人になっても、携帯端末９ａ、９ｂ、・・・とナースコール子機とで通話することができることから、携帯端末９ａ、９ｂ、・・・を携帯する看護師等は逃げ遅れた人の状況を把握し、状況によってはそのまま逃げ遅れた人のところへ向かい、的確な避難誘導を行なうことができる。
［実施例２］
図３は、本発明の第２の実施例におけるナースコールシステムのブロック図を示している。なお、同図において、図２に示すものと同一のものには同一の符号を付して詳細な説明を省略する。
【００５８】
前述の第１の実施例では、ナースコール制御機２ａに制御機入力端子２４が設けられているが、この実施例においては、図３に示すように、ナースコ−ル親機１ｂの親機ＣＰＵ１６に入力端子（以下「親機入力端子」という。）１９が接続され、この親機入力端子１９に第３の伝送路Ｌ３を介して防災受信機６が接続されている。
【００５９】
この実施例においては、施設内の何れかで火災が発生すると、防災受信機６から火災警報信号が第３の伝送路Ｌ３および親機入力端子１９を介して親機ＣＰＵ１６へ伝送され、かかる火災警報信号が親機ＣＰＵ１６で検出されると、第１の実施例と同様に、音響装置１３としての拡声スピーカから火災警報音が鳴動するとともに、視覚装置１１ａとしてのディスプレイに火災が発生した旨の表示が行なわれる。また、これとともに親機ＣＰＵ１６から火災報知信号が出力され、この火災報知信号が前述の設定データと同様の経路を経由して例えば第１の廊下灯ＣＰＵ３５へ伝送される。そして、かかる火災報知信号が第１の廊下灯ＣＰＵ３５で検出されると、第１の実施例と同様に、第１の廊下灯３ａに内蔵された音響装置としての廊下灯スピーカから火災警報音が鳴動するとともに、第１の代表表示灯３３が点灯し、火災が発生している旨の表示が行なわれる。
【００６０】
この実施例においても、第１の実施例と同様に、ナースステーション内の看護師等や巡回中の看護師等は施設内の何れかで火災が発生したことを知ることができる。
［実施例３］
図４は、本発明の第３の実施例におけるナースコールシステムのブロック図を示している。なお、同図において、図２に示すものと同一のものには同一の符号を付して詳細な説明を省略する。
【００６１】
前述の第１の実施例では、ナースコール親機１ａの設定部１４に親機電気錠解錠許可スイッチ１４ｂおよび親機電気錠設定手段１４ｃが設けられているが、この実施例においては、図４に示すように、ナースコール制御機２ｂに電気錠解錠許可スイッチ（以下「制御機電気錠解錠許可スイッチ」という。）２５および電気錠設定手段（以下「制御機電気錠設定手段」という。）２６が設けられ、これらの制御機電気錠解錠許可スイッチ２５および電気錠設定手段２６が制御機ＣＰＵ２２に接続されている。
【００６２】
この実施例においても、第１の実施例と同様に、火災警報の発報時に制御機電気錠設定手段で設定された電気錠を解錠することができる。
【産業上の利用可能性】
【００６３】
第１に、前述の実施例においては、ナースコール親機１ａ、１ｂとしてパーソナルコンピューターを利用した場合について述べているが、図５に示すようなタッチパネルを有するボード型親機やディップスイッチ（ＤＩＰＳＷ）を備えた図示しないボード親機を使用しても、前述の実施例と同様の効果を奏することができる。
【００６４】
第２に、前述の実施例においては、点灯設定手段１４ａはナースコール親機１ａ、１ｂまたはナースコール制御機親機２ａ、２ｂでデータが作製されるが、このデータの元データとしてオーダリングシステムから救護区分等の医療看護情報を取り出し、このデータを元にナースコール親機１ａ、１ｂまたはナースコール制御機親機２ａ、２ｂで編集作業を行なうようにすることができる。
【００６５】
第３に、前述の実施例においては、２台の廊下灯を設置した場合について述べているが、廊下灯の台数はシステムの規模に応じて増減することができる。
【００６６】
第４に、前述の実施例においては、１台のナースコール親機および防災受信機を設置した場合について述べているが、ナースコール親機および防災受信機の台数はシステムの規模に応じて増加することができる。
【図面の簡単な説明】
【００６７】
【図１】本発明のナースコールシステムのシステム構成図。
【図２】本発明の第１の実施例におけるナースコールシステムのブロック図。
【図３】本発明の第２の実施例におけるナースコールシステムのブロック図。
【図４】本発明の第３の実施例におけるナースコールシステムのブロック図。
【図５】本発明のナースコールシステムにおけるナースコール親機の他の例を示す外観図。
【符号の説明】
【００６８】
１ａ、１ｂ・・・ナースコール親機
１１ａ・・・視覚装置
１１ｂ、１１ｃ・・・表示装置
１３・・・音響装置
１４ａ・・・点灯設定手段（親機点灯設定手段）
１４ｂ・・・電気錠解錠許可スイッチ（親機電気錠解錠許可スイッチ）
１９・・・入力端子（親機入力端子）
１５・・・通信装置（親機通信装置）
２ａ、２ｂ・・・ナースコール制御機
２４・・・入力端子（制御機入力端子）
２６・・・電気錠設定手段（制御機電気錠設定手段）  
３ａ、３ｂ・・・廊下灯
３２・・・廊下灯復旧ボタン
３４・・・個別表示灯
４ａ、４ｂ・・・ナースコール子機
４１・・・子機復旧ボタン
７・・・交換機
９ａ、９ｂ・・・携帯端末
１０ａ・・・電気錠
【図１】
2005349040.tif 000003
【図２】
2005349040.tif 000004
【図３】
2005349040.tif 000005
【図４】
2005349040.tif 000006
【図５】
2005349040.tif 000007